(57)【特許請求の範囲】
【請求項１】
人体の所定部位に非接触の状態で該所定部位の動きを検出する変動検出部と、
該変動検出部で検出した動きに基づいて、所定動作の回数又は動作時間を計測する計測部と、
前記計測部を収容する箱体と、
該箱体の一端側に固定され、耳の形状に合わせて湾曲させた装着部と
を備え、
前記変動検出部は、
前記箱体の他端側に収容され、
前記装着部を耳に装着した状態で、前記変動検出部は、前記所定部位までの距離の変動を検出すべく配置され、かつ前記箱体は、耳の裏側に配置されるようにしてあることを特徴とする人体装着型計測装置。
【請求項２】
前記装着部を耳に装着した状態で前記箱体が頭部に当接する面にシリコーン素材を設けてあることを特徴とする請求項１に記載の人体装着型計測装置。
【請求項３】
前記所定部位が連動する人体動作を検出する人体動作検出部と、
該人体動作検出部で検出した人体動作に基づいて、前記計測部の計測結果を補正する補正部と
を備えることを特徴とする請求項１又は請求項２に記載の人体装着型計測装置。
【請求項４】
前記所定部位は、顎であり、
前記計測部は、
前記所定動作として咀嚼の回数を計測するようにしてあることを特徴とする請求項１から請求項３までのいずれか１項に記載の人体装着型計測装置。
【請求項５】
前記人体動作検出部は、
前記人体動作として発話、頷き、くしゃみ、飲み込み、首振りの少なくとも１つを検出するようにしてあることを特徴とする請求項３に記載の人体装着型計測装置。
【請求項６】
咀嚼の反復動作の目標速度及び前記計測部で計測した咀嚼の回数を外部の表示装置で表示するための情報を生成する生成部を備えることを特徴とする請求項４に記載の人体装着型計測装置。
【発明の詳細な説明】
【技術分野】
【０００１】
本発明は、人体に装着して所定動作を計測する人体装着型計測装置に関する。
【背景技術】
【０００２】
近年、生活習慣病予防、肥満防止、ストレス軽減、美容、脳の活性化などが注目されつつあり、健康管理や健康増進のための機器が開発されている。例えば、食べ物を消化する行為である咀嚼動作が、脳を介した、体全体の変化や活力を引き出す行為として注目されている。
【０００３】
そして、摂食に伴う咀嚼回数を計数する装置として、頭部へ装着するハウジングに、一対の電極を設け、一方の電極を咀嚼筋付近に当接し、他の電極を咀嚼筋以外の部位に当接するようにハウジングを頭部に装着し、咀嚼筋の表面筋電位を計測して咀嚼回数を計数する装置が開示されている（特許文献１参照）。
【先行技術文献】
【特許文献】
【０００４】
【特許文献１】特開２００２−２５３５２０号公報
【発明の概要】
【発明が解決しようとする課題】
【０００５】
しかし、特許文献１の装置にあっては、ハウジングを頭部に装着するため、装置の形状が大きくなり、装着時に目立ちすぎるという問題がある。また、電極を人体の所定部位に当接させるため、装着時に違和感や不快感があるという問題がある。また、筋電位計は高価であり、また装置を装着することにより却って咀嚼を妨げるという問題もある。
【０００６】
本発明は斯かる事情に鑑みてなされたものであり、所定動作を妨げることなく安価で簡単な構成で所定動作を計測することができる人体装着型計測装置を提供することを目的とする。
【課題を解決するための手段】
【０００７】
本発明に係る人体装着型計測装置は、人体の所定部位に非接触の状態で該所定部位の動きを検出する変動検出部と、該変動検出部で検出した動きに基づいて、所定動作の回数又は動作時間を計測する計測部と、前記計測部を収容する箱体と、該箱体の一端側に固定され、耳の形状に合わせて湾曲させた装着部とを備え、前記変動検出部は、前記箱体の他端側に収容され、前記装着部を耳に装着した状態で、前記変動検出部は、前記所定部位までの距離の変動を検出すべく配置され、かつ前記箱体は、耳の裏側に配置されるようにしてあることを特徴とする。
また、本発明に係る人体装着型計測装置は、前記装着部を耳に装着した状態で前記箱体が頭部に当接する面にシリコーン素材を設けてあることを特徴とする。
【０００８】
本発明に係る人体装着型計測装置は、前記所定部位が連動する人体動作を検出する人体動作検出部と、該人体動作検出部で検出した人体動作に基づいて、前記計測部の計測結果を補正する補正部とを備えることを特徴とする。
【０００９】
本発明に係る人体装着型計測装置は、前記所定部位は、顎であり、前記計測部は、前記所定動作として咀嚼の回数を計測するようにしてあることを特徴とする。
【００１０】
本発明に係る人体装着型計測装置は、前記人体動作検出部は、前記人体動作として発話、頷き、くしゃみ、飲み込み、首振りの少なくとも１つを検出するようにしてあることを特徴とする。
【００１１】
本発明に係る人体装着型計測装置は、咀嚼の反復動作の目標速度及び前記計測部で計測した咀嚼の回数を外部の表示装置で表示するための情報を生成する生成部を備えることを特徴とする。
【発明の効果】
【００１２】
本発明によれば、所定動作を妨げることなく安価で簡単な構成で所定動作を計測することができる。
【図面の簡単な説明】
【００１３】
【図１】本実施の形態の人体装着型計測装置の一例を示す外観斜視図である。
【図２】本実施の形態の人体装着型計測装置の構成の一例を示す分解斜視図である。
【図３】本実施の形態の人体装着型計測装置の人体への装着例を示す説明図である。
【図４】本実施の形態の人体装着型計測装置の構成の一例を示すブロック図である。
【図５】本実施の形態の人体装着型計測装置の咀嚼回数の計測の処理手順の一例を示すフローチャートである。
【図６】本実施の形態の人体装着型計測装置の咀嚼回数の計測の処理手順の一例を示すフローチャートである。
【図７】検出した姿勢と重み付け係数との関係を示す説明図である。
【図８】検出した変動と統計値との関係を示す模式図である。
【図９】本実施の形態の人体装着型計測装置による咀嚼と発話との混合実験の結果の一例を示すタイムチャートである。
【図１０】咀嚼情報の表示態様の第１実施例を示す説明図である。
【図１１】咀嚼情報の表示態様の第２実施例を示す説明図である。
【図１２】咀嚼情報の表示態様の第２実施例を示す説明図である。
【図１３】咀嚼情報の表示態様の第３実施例を示す説明図である。
【図１４】咀嚼情報の表示態様の第４実施例を示す説明図である。
【図１５】咀嚼情報の表示態様の第４実施例を示す説明図である。
【図１６】咀嚼情報の表示態様の第５実施例を示す説明図である。
【発明を実施するための形態】
【００１４】
（第１実施形態）
以下、本発明を実施の形態を示す図面に基づいて説明する。図１は本実施の形態の人体装着型計測装置１００の一例を示す外観斜視図であり、図２は本実施の形態の人体装着型計測装置１００の構成の一例を示す分解斜視図であり、図３は本実施の形態の人体装着型計測装置１００の人体への装着例を示す説明図である。図１及び図２に示すように、人体装着型計測装置１００は、相互に嵌合して箱体をなす上ケース１１及び下ケース１２、下ケース１２の一面側に取り付けられ、耳の形状に合わせて湾曲させた装着部としてのクリップ１４、クリップ１４の一端側を下ケース１２との間で挟み込む背面カバー１３、上ケース１１及び下ケース１２の内部に収容される、バッテリ２０、回路基板５０、測距センサ４０及びＵＳＢポート３０などを備える。
【００１５】
図３に示すように、人体装着型計測装置１００は、クリップ１４の他端側を耳の上部に掛け、嵌合した上ケース１１及び下ケース１２を耳（耳たぶ）の裏側に配置するようにして、人体に装着することができる。そして、人体装着型計測装置１００を耳に装着した状態で、測距センサ４０は、所定部位としての顎の動き、顎までの距離の変動を検出することができるように配置されている。
【００１６】
装着部としてのクリップ１４を、人体の装着箇所に応じて適宜の形状とすることができる。図３の例では、耳の形に合わせた形状のクリップ１４を装着部とすることができる。耳に掛ける構造とすることにより、人体装着型計測装置１００の形状を小さくして、装着時に目立ちにくくすることができる。
【００１７】
背面カバー１３は、例えば、シリコーンなどの素材を用いることにより、人体装着型計測装置１００を耳に装着した場合に、背面カバー１３が耳の裏側の頭部に密着しやすくなるとともに、心地よい装着感を実現することができる。
【００１８】
バッテリ２０は、回路基板５０、測距センサ４０などの部品に所要の電圧を供給することができる。また、バッテリ２０は、ＵＳＢポート３０を介して充電することができる。
【００１９】
図４は本実施の形態の人体装着型計測装置１００の構成の一例を示すブロック図である。図４に示すように、人体装着型計測装置１００は、測距センサ４０に加えて、装置全体を制御する制御部５１、加速度センサ５２、計測部５３、決定部５４、算出部５５、通信部５６、記憶部５７などを備える。これらの各部は、回路基板５０に実装されている。
【００２０】
測距センサ４０は、変動検出部としての機能を有する。測距センサ４０は、人体の所定部位に非接触の状態で当該所定部位の動きを検出する。また、測距センサ４０は、人体の所定部位との間の距離の変動を検出する。所定部位は、例えば、顎（より具体的には、下顎骨）とすることができる。
【００２１】
測距センサ４０は、赤外発光ダイオードなどの発光部、フォトトランジスタなどの受光部などを有し、発光部から光を発光させ、所定部位で反射した反射光を受光部で検出して、検出した反射光の強度に応じた電気信号（電圧又は電流）を所定のサンプリング周期（例えば、０．２秒）で出力する。所定部位が顎である場合、顎が動くことにより、測距センサ４０と顎との間の距離が変動する。例えば、所定部位との距離が短くなれば、ピーク値の大きい電圧を出力し、所定部位との距離が長くなれば、ピーク値の小さい電圧を出力する。なお、本実施の形態では、測距センサ４０が検出する所定部位の動き、あるいは所定部位との間の距離の変動とは、測距センサ４０が出力する電圧を含むものとする。
【００２２】
計測部５３は、ＡＤ変換部を有し、測距センサ４０で検出した動きに基づいて、所定動作としての咀嚼の回数を計測する。咀嚼を１回行うと、測距センサ４０と所定部位との間の距離が最小となるタイミングが１回生じるので、測距センサ４０が出力する電圧のピーク値が１回現れる。所定のサンプリング周期で取得した変動のピーク値を検出することにより、所定部位の動作回数（咀嚼回数）を計測することができる。
【００２３】
上述のように、測距センサ４０は、所定部位に非接触の状態にしてあるので、所定部位が所定動作に伴って動く場合でも、所定動作を妨げることがない。また、測距センサ４０は、所定部位に非接触の状態にしてあるので、人体装着型計測装置１００を装着した場合に、違和感や不快感が生じることもない。また、測距センサ４０は、比較的安価であり、構造も簡単であり、筋電位計を用いる必要がないのでコストを抑えることができ、クリップ１４を耳に掛けるという簡単な構造で所定動作としての咀嚼回数を計測することができる。
【００２４】
また、計測部５３は、所定動作として咀嚼の回数を計測する。これにより、咀嚼を妨げることなく安価で簡単な構成で咀嚼の回数を計測することができる。
【００２５】
また、クリップ１４に弾性を持たせておき、人体装着型計測装置１００を使用しない場合には、クリップ１４と背面カバー１３とで衣服の襟などを挟み込むようにして人体装着型計測装置１００を衣服に取り付けることができるので、簡単に携帯することができ、使用したいときに直ぐに使用することができ利便性が向上する。
【００２６】
加速度センサ５２は、人体動作検出部としての機能を有する。加速度センサ５２は、所定部位が連動する人体動作を検出する。所定部位（例えば、顎など）が連動する人体動作は、例えば、発話、頷き、くしゃみ、飲み込み、首振りなどとすることができる。すなわち、加速度センサ５２は、人体動作として発話、頷き、くしゃみ、飲み込み、首振りの少なくとも１つを検出する。
【００２７】
加速度センサ５２は、例えば、ピエゾ抵抗型３軸加速度センサ、静電容量型３軸加速度センサ、圧電型３軸加速度センサなどを用いることができ、ＸＹＺ軸の３方向の加速度を測定することができる。なお、加速度センサ５２は、３軸加速度センサに限定されるものではなく、２軸加速度センサでもよい。
【００２８】
制御部５１は、補正部としての機能を有し、加速度センサ５２で検出した人体動作に基づいて、計測部５３の計測結果を補正する。例えば、計測部５３で咀嚼を１回計測して咀嚼回数を１回増やす場合に、加速度センサ５２で人体動作を検出したときには、計測部５３で計測した咀嚼は、人体動作に伴って所定部位が連動したものであるとして、例えば、咀嚼回数を計測しないようにする（計測した咀嚼回数から１回分だけ減算する補正を行う）。これにより、発話、頷き、くしゃみ、飲み込み、首振りなどの人体動作による誤計測を防止して、所定動作（例えば、咀嚼回数など）を精度良く計測することができる。
【００２９】
また、加速度センサ５２は、姿勢検出部としての機能を有する。加速度センサ５２は、人体装着型計測装置１００をクリップ１４により人体に装着した場合に、測距センサ４０（又は人体装着型計測装置１００自身でもよい）の姿勢を検出する。すなわち、加速度センサ５２で地球の重力加速度を計測することにより、測距センサ４０の姿勢（傾き）を検出することができる。例えば、予め装着時の測距センサ４０の基準の姿勢（基準方向）と重力方向との関係を定めておき、重力方向と基準方向とのずれ（ずれ角度）に応じて、ユーザの身長、体重、年齢などに依存する装着時の個人差を特定することができる。
【００３０】
決定部５４は、加速度センサ５２で検出した姿勢に応じて、所定動作としての咀嚼の回数を計数する際の閾値を決定する。かかる閾値を決定することにより、ユーザの個人差を考慮することができる。
【００３１】
算出部５５は、測距センサ４０で変動を複数回検出し、検出した複数回の変動の統計値を算出する。統計値は、複数回検出した変動の最大値と最小値との間の中間値（中央値）でもよく、複数回検出した変動の平均値でもよい。
【００３２】
通信部５６は、例えば、外部のスマートフォン、携帯電話、タブレット、パーソナルコンピュータなどの表示画面を備える外部機器（表示装置）との通信を行う。
【００３３】
記憶部５７は、所定の情報を記憶する。なお、所定の情報は後述する。
【００３４】
次に、本実施の形態の人体装着型計測装置１００による咀嚼回数の計測の詳細について説明する。図５及び図６は本実施の形態の人体装着型計測装置１００の咀嚼回数の計測の処理手順の一例を示すフローチャートである。以下では、簡便のため処理の主体を制御部５１として説明する。
【００３５】
制御部５１は、ユーザの情報に基づいて初期閾値Ｃ０を設定する（Ｓ１１）。初期閾値Ｃ０は、咀嚼回数を計測する際に、咀嚼を行ったか否かを判定するための閾値の初期値である。ユーザの情報は、例えば、性別、年齢、身長、体重などとすることができる。ユーザの情報は、通信部５６を介して外部機器（例えば、スマートフォン、タブレットなど）から入力するようにすればよい。入力された情報（個人情報）は、ユーザ毎に区分して記憶部５７に記憶される。
【００３６】
制御部５１は、加速度センサ５２を制御して、人体装着型計測装置１００を耳に装着したときの人体装着型計測装置１００（測距センサ４０）の姿勢を検出する（Ｓ１２）。例えば、予め装着時の測距センサ４０の基準の姿勢（基準方向）と重力方向との関係を定めておき、重力方向と基準方向とのずれ（ずれ角度）を検出することができる。
【００３７】
制御部５１は、決定部５４を制御して、検出した姿勢に基づいて、重み付け係数を用いて設定した初期閾値Ｃ０を補正して、閾値Ｃを決定する（Ｓ１３）。
【００３８】
図７は検出した姿勢と重み付け係数との関係を示す説明図である。前述のとおり、測距センサ４０の姿勢は、測距センサ４０の基準の姿勢（基準方向）と重力方向とのなす角度として表すことができる。人体装着型計測装置１００を耳に装着したときの基準の姿勢を表す基準方向と重力方向とのなす角度を０とする。図７に示すように、角度が０の場合には、重み付け係数を１とすることができる。この場合、初期閾値Ｃ０を補正することなく、そのまま決定した閾値Ｃとして用いることができる。
【００３９】
また、ユーザの個人差により、人体装着型計測装置１００を装着したときの重力方向と基準方向とがずれて、角度がθ１となったとする。この場合、重み付け係数をα１とすると、閾値Ｃは、α１×初期閾値Ｃ０で求めることができる。他の角度（姿勢）についても同様である。加速度センサ５２で検出した姿勢に基づいて、閾値Ｃを変更することにより、ユーザの個人差を吸収して咀嚼回数を精度良く計測することができる。
【００４０】
例えば、クリップ１４で人体に装着した場合に、測距センサ４０と所定部位との間の距離が長くなり、測距センサ４０で検出した変動のピーク値が小さくなるときは、閾値Ｃを小さくする。また、クリップ１４で人体に装着した場合に、測距センサ４０と所定部位との間の距離が短くなり、測距センサ４０で検出した変動のピーク値が大きくなるときは、閾値Ｃを大きくする。これにより、装着状態でのユーザの個人差を吸収して所定動作（咀嚼）の回数を精度良く計測することができる。
【００４１】
制御部５１は、咀嚼回数Ｎ＝０に設定し（Ｓ１４）、測距センサ４０を制御して所定部位（顎、下顎骨）の変動を検出する（Ｓ１５）。なお、以下の説明では、測距センサ４０が、所定のサンプリング周期（例えば、０．２秒など）で出力する電圧（所定部位の動き、あるいは所定部位との間の距離の変動）を、Ａ１、Ａ２、Ａ３、…、Ａ（ｉ−１）、Ａｉ、Ａ（ｉ＋１）、…と時系列で表す（ｉは整数）。
【００４２】
制御部５１は、検出した変動がピーク値であるか否かを判定する（Ｓ１６）。ピーク値であるか否かの判定条件は、式（１）及び式（２）の両方が成立する場合、変動Ａｉはピーク値であると判定することができ、両方の式のいずれかが成立しない場合、変動Ａｉはピーク値でないと判定することができる。
【００４３】
【数１】
0005995904.tif 000002
【００４４】
制御部５１は、検出した変動がピーク値でない場合（Ｓ１６でＮＯ）、ステップＳ１５以降の処理を続ける。検出した変動がピーク値である場合（Ｓ１６でＹＥＳ）、制御部５１は、算出部５５を制御して、所定時間の間に複数回検出した変動に基づいて変動の統計値を算出し（Ｓ１７）、検出した変動が算出した統計値より大きいか否かを判定する（Ｓ１８）。
【００４５】
検出した変動をＡｉとする。所定時間は、例えば、変動Ａｉを基準時点とした場合、基準時点より５サンプリング周期前と、５サンプリング周期後との間の時間とすることができる。すなわち、Ａｉを除いてＡ（ｉ−５）からＡ（ｉ＋５）までの１０回分の変動を用いて統計値を算出する。変動の最大値Ａｍａｘは式（３）により算出することができ、変動の最小値Ａｍｉｎは式（４）により出することができ、統計値Ａｄｉｆは、式（５）により算出することができる。すなわち、統計値は、複数回検出した変動の最大値と最小値との間の中間値（中央値）とすることがきる。なお、中央値に代えて、複数回検出した変動の平均値でもよい。また、複数回は、基準時点の前後５回に限定されるものではなく、他の回数でもよく、基準時点の前後で回数を異なるようにしてもよい。
【００４６】
検出した変動が算出した統計値より大きいか否かは、式（６）により判定することができる。
【００４７】
制御部５１は、検出した変動が統計値より大きくない場合（Ｓ１８でＮＯ）、検出した変動がノイズに起因するものと判定し、直ちに咀嚼回数を計数することなく、ステップ１５以降の処理を続ける。
【００４８】
検出した変動が統計値より大きい場合（Ｓ１８でＹＥＳ）、検出した変動は、ノイズに起因するものではないと判定し、咀嚼回数の計測を行うべく、後述のステップＳ１９の処理を行う。
【００４９】
図８は検出した変動と統計値との関係を示す模式図である。図８において、検出した変動をＡｉとする。最大値Ａｍａｘは、Ａｉを除いてＡ（ｉ−５）からＡ（ｉ＋５）までの１０回分の変動のうちの最大値である。また、最小値Ａｍｉｎは、Ａｉを除いてＡ（ｉ−５）からＡ（ｉ＋５）までの１０回分の変動のうちの最小値である。統計値Ａｄｉｆは、最大値Ａｍａｘと最小値Ａｍｉｎとの間の中間値（中央値）である。
【００５０】
図８Ａに示すように、検出した変動Ａｉが統計値Ａｄｉｆ以下である場合、変動Ａｉはノイズ等に起因するものと考えられ、咀嚼回数の計数に変動Ａｉを考慮しない。一方、図８Ｂに示すように、検出した変動Ａｉが統計値Ａｄｉｆより大きい場合、変動Ａｉはノイズによるものではなく、咀嚼に起因するものとして考慮する。このように、検出した変動と統計値とを比較することにより、所定のサンプリング周期で取得した変動のピーク値を確実に検出することができ、ノイズ等によるピークが小さい変動に基づいて所定動作の回数を誤って計測することを防止することができる。
【００５１】
制御部５１は、検出した変動が決定した閾値Ｃより大きいか否かを判定する（Ｓ１９）。
【００５２】
【数２】
0005995904.tif 000003
【００５３】
ステップＳ１９では、検出した変動Ａｉｄは、ステップＳ１８での変動とは異なり、式（７）、式（８）及び式（９）で算出することができる。また、検出した変動Ａｉｄが決定した閾値Ｃより大きいか否かは、式（１０）により判定することができる。すなわち、式（７）で示すように、基準時点での変動Ａｉ及び基準時点前に５回検出した変動の最大値をＡｍａｘとし、式（８）で示すように、基準時点での変動Ａｉ及び基準時点前に５回検出した変動の最小値をＡｍｉｎとすると、変動Ａｉｄは、式（９）で示すように、最大値Ａｍａｘと最小値Ａｍｉｎとの差分である。なお、基準時点前の回数は５回に限定されるものではなく、他の回数でもよい。また、基準時点より後に検出した変動を考慮することもできる。
【００５４】
制御部５１は、検出した変動Ａｉｄが閾値Ｃより大きくない場合（Ｓ１９でＮＯ）、ステップＳ１５以降の処理を続ける。検出した変動Ａｉｄが閾値Ｃより大きい場合（Ｓ１９でＹＥＳ）、制御部５１は、咀嚼回数Ｎに１を加算した値を新たな咀嚼回数Ｎとする（Ｓ２０）。すなわち、制御部５１は、咀嚼回数Ｎを１つ増加させる。
【００５５】
すなわち、計測部５３は、測距センサ４０で検出した変動Ａｉｄが決定部５４で決定した閾値Ｃより大きい場合、咀嚼回数を計数する。
【００５６】
所定動作（例えば、咀嚼）が行われた場合に測距センサ４０で検出した変動と、人体動作（例えば、発話）が行われた場合に測距センサ４０で検出した変動とを予め定量化して閾値Ｃを定めることにより、測距センサ４０で検出した変動Ａｉｄが閾値Ｃより大きい場合には、咀嚼などの所定動作であり、変動Ａｉｄが閾値Ｃより小さい場合には、発話などの人体動作であると判定することができる。これにより、所定動作（咀嚼）と発話などの人体動作とを区別して所定動作を計測することができ、所定動作の回数を精度良く計測することができる。
【００５７】
制御部５１は、直近のカウント時点（咀嚼回数の計数時点）から今回のカウント時点までの時間差が所定経過時間（例えば、０．３秒）より短いか否かを判定し（Ｓ２１）、時間差が所定経過時間より短い場合（Ｓ２１でＹＥＳ）、すなわち、０．３秒の間に２回も噛んで食事することはないから、ノイズの影響があると判定して、咀嚼回数Ｎから１を減算した値を新たな咀嚼回数Ｎとする（Ｓ２２）。すなわち、制御部５１は、咀嚼回数Ｎを１つ減少させる。なお、所定経過時間は、０．３秒に限定されるものではない。
【００５８】
時間差が所定経過時間より短くない場合（Ｓ２１でＮＯ）、ノイズの影響がないと判定して、ステップＳ２２の処理を行うことなく、後述のステップＳ２３の処理を行う。ステップＳ２１の処理を行うことにより、咀嚼回数の隣り合う計測時点間の時間差が所定経過時間より短いか否かを判定して、ノイズ除去を行うことができる。
【００５９】
制御部５１は、人体動作を検出したか否かを判定し（Ｓ２３）、人体動作を検出した場合（Ｓ２３でＹＥＳ）、咀嚼回数Ｎから１を減算した値を新たな咀嚼回数Ｎとする（Ｓ２４）。なお、人体動作を検出した場合に、咀嚼回数Ｎを１つ増加させていないときは、咀嚼回数Ｎから１を減算しなくてもよい。
【００６０】
すなわち、加速度センサ５２は、所定部位が連動する人体動作を検出する。所定部位（例えば、顎など）が連動する人体動作は、例えば、発話、頷き、くしゃみ、飲み込み、首振りなどとすることができる。そして、計測部５３は、加速度センサ５２で人体動作を検出した場合、咀嚼回数を計数しない。例えば、計測部５３で咀嚼を１回計測して咀嚼回数を１回増やす場合に、加速度センサ５２で人体動作を検出したときには、計測部５３で計測した咀嚼は、人体動作に伴って所定部位が連動したものであるとして、例えば、咀嚼回数を計測しないようにする（計測した咀嚼回数から１回分だけ減算する補正を行う）。これにより、発話、頷き、くしゃみ、飲み込み、首振りなどの人体動作による誤計測を防止して、精度良く所定動作を計測することができる。
【００６１】
人体動作を検出しない場合（Ｓ２３でＮＯ）、制御部５１は、ステップＳ２４の処理を行うことなく、後述のステップＳ２５の処理を行う。
【００６２】
制御部５１は、処理を終了するか否かを判定し（Ｓ２５）、処理を終了しない場合（Ｓ２５でＮＯ）、ステップＳ１５以降の処理を続ける。処理を終了する場合（Ｓ２５でＹＥＳ）、制御部５１は、咀嚼情報を生成し、通信部５６を介して生成した咀嚼情報を外部機器（スマートフォン、携帯電話、タブレット、パーソナルコンピュータなど）へ出力し（Ｓ２６）、処理を終了する。咀嚼情報の詳細は後述する。
【００６３】
上述の実施の形態では、咀嚼が行われた場合に測距センサ４０で検出した変動と、発話が行われた場合に測距センサ４０で検出した変動とを予め定量化して閾値Ｃを定める構成であったが、発話以外の人体動作として、例えば、頷き、くしゃみ、飲み込み、首振りなどが行われた場合に測距センサ４０で検出した変動を予め定量化して閾値Ｃを決定するようにしてもよい。これにより、咀嚼と、頷き、くしゃみ、飲み込み又は首振りなどの人体動作とを区別して咀嚼回数を精度良く計測することが可能となる。
【００６４】
図９は本実施の形態の人体装着型計測装置１００による咀嚼と発話との混合実験の結果の一例を示すタイムチャートである。図９において、横軸は時間（秒）を示し、縦軸は測距センサ４０が出力する電圧（変動）を示す。図９は、試験者にサンドイッチを食べてもらい、２分間咀嚼し途中で４０秒間会話した場合の結果を示す。図５及び図６に例示する処理を行うことにより、実際に咀嚼した回数は７３回であるところ、人体装着型計測装置１００による計測結果は、７４回であった。このように、発話などの人体動作が行われる場合であっても、咀嚼回数を精度良く計測することができる。
【００６５】
次に計測した咀嚼回数を含む咀嚼情報の表示態様について説明する。制御部５１は、生成部としての機能を有し、咀嚼回数を含む咀嚼情報を生成し、通信部５６を介して、生成した咀嚼情報を外部機器へ出力する。なお、生成した咀嚼情報は、記憶部５７に記憶することができる。
【００６６】
図１０は咀嚼情報の表示態様の第１実施例を示す説明図である。図１０に示すように、咀嚼情報は、年、月、週、日ごとに、朝食、昼食、夕食毎の咀嚼回数、咀嚼時間などを含み、グラフで可視化することができる。これにより、食の総合ダイアリーとして活用することができる。
【００６７】
図１１及び図１２は咀嚼情報の表示態様の第２実施例を示す説明図である。図１１及び図１２に示すように、咀嚼情報は、咀嚼回数の目標値に対する達成度を含む。例えば、図１１に示すように、毎日の達成度を通知する場合に、目標値を上回った場合（図１１の例では達成度を得点で示している）には、端正で小顔の印象を与えるゴールデンレトリバーのキャラクター表示と、達成度を示すべく、例えば、「いい調子です！このまま続けて若々しいお顔を手に入れましょう！」等の文章を表示する。また、図１２に示すように、毎日の達成度を通知する場合に、目標値を下回った場合（図１２の例では達成度を得点で示している）には、頬の筋肉が垂れた印象を与えるブルドックのキャラクター表示と、達成度を高めるべく、例えば、「このままでは  ほうれい線が目だってしまうでしょう。明日はもっと噛みましょう。」等の文章を表示する。これにより、目標に対する達成度を毎日通知して咀嚼を促すことができる。
【００６８】
図１３は咀嚼情報の表示態様の第３実施例を示す説明図である。図１３に示すように、咀嚼情報は、咀嚼回数、咀嚼速度を含む。図１３に示すように、咀嚼速度が速すぎる場合には、咀嚼速度を遅くするように文字、図表等で即座に表示する。これにより、理想の食べ方（咀嚼速度）をリアルタイムでコーチングすることができる。
【００６９】
図１４及び図１５は咀嚼情報の表示態様の第４実施例を示す説明図である。図１４に示すように、咀嚼情報は、生徒の給食における咀嚼回数と、給食の消費カロリーを含む。また、図１５に示すように、咀嚼情報は、クラス（学級）の生徒の咀嚼回数とクラスでの順位などグラフ化したものを含む。これにより、生徒の食を記録して可視化することができ、給食の新たな指標を提供することができる。
【００７０】
図１６は咀嚼情報の表示態様の第５実施例を示す説明図である。図１６に示すように、咀嚼情報は、咀嚼の反復動作の目標速度及び計測した咀嚼の回数を含む。図１６に示すように、咀嚼の反復動作の目標速度は、例えば、咀嚼のテンポを示すものであり、１回の咀嚼の速度を、例えば、メトロノームの如く表示することができる。なお、メトロノームの如く表示する方法に代えて、２色の色の切替で表示する方法、１色の点滅で表示する方法などを用いてもよい。これにより、計測した咀嚼のテンポが目標速度に比べて速いのか遅いのかが容易に判断することができ、例えば、介護施設などの入居者の健康管理ツールとして活用することができる。
【００７１】
上述の実施の形態において、ユーザが咀嚼などの所定動作を行っていない場合には、加速度センサ５２により、人体の運動などの活動量を計測するようにしてもよい。
【００７２】
上述の実施の形態において、ユーザが簡単に操作することができる操作部（例えば、スイッチ、ボタン、タッチパネルなど）を設けてもよく、また、人体装着型計測装置１００の動作状態を表示する表示部（例えば、ＬＥＤ、液晶パネルなど）を設けることもできる。
【００７３】
上述の実施の形態において、ユーザの情報に基づいて初期閾値Ｃ０を設定する場合に、外部機器からユーザの情報を入力する構成に代えて、ユーザが人体装着型計測装置１００を耳に装着して、実際に複数回咀嚼あるいは発話を行うことによりキャリブレーションして個人差を吸収すべく初期閾値Ｃ０を設定するようにしてもよい。
【００７４】
上述の実施の形態において、測距センサ４０は、顎などの所定部位に非接触の状態で保持される構成であったが、顎以外の所定部位によっては、測距センサ４０を接触状態で保持される構成にすることもでき、また、測距センサ４０以外のセンサ（サーモセンサ、画像センサ、臭気センサ、圧力センサ、マイクロ波ドップラセンサなど）を用いることもできる。また、首、手首、足首、腕、腰などの装着箇所に応じて装着部の形状又は構造を変えることもできる。
【００７５】
（第２実施形態）
第２実施形態では、クリップ１４に代えて、腕に巻き付けることができるようなバンドを用いる。そして、測距センサ４０により、腕の皮膚表面の動きを検出して、所定動作としての脈拍を計測するようにしてもよい。
【００７６】
（第３実施形態）
第３実施形態では、クリップ１４に代えて、首に巻き付けることができるようなバンドを用いる。そして、測距センサ４０により、首の表面の動きを検出して、所定動作としての睡眠の時間や呼吸などの睡眠時の体の状態を計測するようにしてもよい。この場合には、測距センサ４０により得られた変動が、所定の範囲内にある場合には、ベッドやふとんの上で静かに睡眠していると考えられるので、検出した変動が所定の範囲内にある時間を計測することにより、睡眠時間を計測することができる。また、測距センサ４０により得られた変動が、所定の閾値を超える場合には、呼吸をしていると判別することができるので、測距センサ４０で検出した変動が閾値を超える回数を計測することにより、呼吸回数や無呼吸の状態を計測することができる。また、上記呼吸の計測に加えて、加速度センサ５３により睡眠時の姿勢を同時に計測することにより、睡眠時の体の状態をより正確かつ詳細に計測することが可能となる。
【００７７】
（第４実施形態）
第４実施形態では、クリップ１４に代えて、胸に巻き付けることができるようなバンドを用いる。そして、測距センサ４０により、胸の表面の動きを検出して、所定動作としての睡眠の時間や呼吸などの睡眠時の体の状態を計測するようにしてもよい。この場合には、測距センサ４０により得られた変動が、所定の範囲内にある場合には、ベッドやふとんの上で静かに睡眠していると考えられるので、検出した変動が所定の範囲内にある時間を計測することにより、睡眠時間を計測することができる。また、第３実施形態と同様、測距センサ４０により得られた変動が、所定の閾値を超える場合には、呼吸をしていると判別することができるので、測距センサ４０で検出した変動が閾値を超える回数を計測することにより、呼吸回数や無呼吸の状態を計測することができる。また、上記呼吸の計測に加えて、加速度センサ５３により睡眠時の姿勢を同時に計測することにより、睡眠時の体の状態をより正確かつ詳細に計測することが可能となる。
【００７８】
本発明の上述の各実施例で記載されている技術特徴は、お互いに組み合わせて新しい技術方案を形成することができる。
【００７９】
本実施の形態の人体装着型計測装置は、人体に装着するための装着部（１４）と、人体の所定部位に非接触の状態で該所定部位の動きを検出する変動検出部（４０）と、該変動検出部で検出した動きに基づいて、所定動作の回数又は動作時間を計測する計測部（５３）とを備えることを特徴とする。
【００８０】
本実施の形態にあっては、装着部（１４）により人体に装着する。装着部は、人体の装着箇所に応じて適宜の形状とすることができる。例えば、耳にかける場合には、耳の形に合わせた形状のクリップを装着部とすることができる。これにより、装置の形状を小さくして、装着時に目立ちにくくすることができる。また、首、手首、足首、腕、腰などの装着箇所に応じて装着部の形状又は構造を変えることができる。変動検出部（４０）は、人体の所定部位に非接触の状態で当該所定部位の動きを検出する。所定部位は、例えば、顎とすることができる。変動検出部は、例えば、測距センサを用いることができ、発光部から光を発光させ、所定部位で反射した反射光を受光部で検出して、所定部位までの距離を検出し、検出した距離に応じた電気信号（電圧又は電流）を所定のサンプリング周期で出力する。所定部位が顎である場合、顎が動くことにより、変動検出部と顎との間の距離が変動する。計測部（５３）は、変動検出部で検出した動きに基づいて、所定動作の回数又は動作時間を計測する。所定動作は、例えば、咀嚼である。咀嚼を１回行うと、距離のピーク値が１回現れるので、所定のサンプリング周期で取得した変動のピーク値を検出することにより、所定部位の動作回数又は動作時間を計測することができる。
【００８１】
変動検出部は、所定部位に非接触の状態にしてあるので、所定部位が所定動作に伴って動く場合でも、所定動作を妨げることがない。また、変動検出部は、所定部位に非接触の状態にしてあるので、装着時に違和感や不快感が生じることもない。また、筋電位計を用いる必要がないのでコストを抑えることができ、装着部を人体に装着するという簡単な構造で所定動作を計測することができる。
【００８２】
本実施の形態の人体装着型計測装置は、前記所定部位が連動する人体動作を検出する人体動作検出部（５２）と、該人体動作検出部で検出した人体動作に基づいて、前記計測部の計測結果を補正する補正部（５１）とを備えることを特徴とする。
【００８３】
本実施の形態にあっては、人体動作検出部（５２）は、所定部位が連動する人体動作を検出する。所定部位（例えば、顎など）が連動する人体動作は、例えば、発話、頷き、くしゃみ、飲み込み、首振りなどとすることができる。人体動作検出部は、例えば、加速度センサを用いることができる。補正部（５１）は、人体動作検出部で検出した人体動作に基づいて、計測部の計測結果を補正する。例えば、計測部で咀嚼を１回計測して咀嚼回数を１回増やす場合に、人体動作検出部で人体動作を検出したときには、計測部で計測した咀嚼は、人体動作に伴って所定部位が連動したものであるとして、例えば、咀嚼回数を計測しないようにする（計測した咀嚼回数から１回分だけ減算する補正を行う）。これにより、発話、頷き、くしゃみ、飲み込み、首振りなどの人体動作による誤計測を防止して、精度良く所定動作を計測することができる。
【００８４】
本実施の形態の人体装着型計測装置は、前記所定部位は、顎であり、前記計測部は、前記所定動作として咀嚼の回数を計測するようにしてあることを特徴とする。
【００８５】
本実施の形態にあっては、所定部位は、顎であり、計測部は、所定動作として咀嚼の回数を計測する。これにより、咀嚼を妨げることなく安価で簡単な構成で咀嚼の回数を計測することができる。
【００８６】
本実施の形態の人体装着型計測装置は、前記人体動作検出部は、前記人体動作として発話、頷き、くしゃみ、飲み込み、首振りの少なくとも１つを検出するようにしてあることを特徴とする。
【００８７】
本実施の形態にあっては、人体動作検出部は、人体動作として発話、頷き、くしゃみ、飲み込み、首振りの少なくとも１つを検出する。これにより、発話、頷き、くしゃみ、飲み込み、首振りなどの人体動作が行われた場合でも、所定動作（例えば、咀嚼回数など）を精度良く計測することができる。
【００８８】
本実施の形態の人体装着型計測装置は、咀嚼の反復動作の目標速度及び前記計測部で計測した咀嚼の回数を外部の表示装置で表示するための情報を生成する生成部（５１）を備えることを特徴とする。
【００８９】
本実施の形態にあっては、生成部（５１）は、咀嚼の反復動作の目標速度及び計測部で計測した咀嚼の回数を外部の表示装置で表示するための情報を生成する。咀嚼の反復動作の目標速度は、例えば、咀嚼のテンポを示すものであり、１回の咀嚼の速度を、例えば、メトロノームの如く表示する場合、２色の色の切替で表示する場合、１色の点滅で表示する場合などとすることができる。これにより、計測した咀嚼のテンポが目標速度に比べて速いのか遅いのかが容易に判断することができる。
【符号の説明】
【００９０】
１４  クリップ（装着部）
２０  バッテリ
３０  ＵＳＢポート
４０  測距センサ（変動検出部）
５０  回路基板
５１  制御部（補正部、生成部）
５２  加速度センサ（人体動作検出部）
５３  計測部
５４  決定部
５５  算出部
５６  通信部
５７  記憶部
【図１】
0005995904.tif 000004
【図２】
0005995904.tif 000005
【図３】
0005995904.tif 000006
【図４】
0005995904.tif 000007
【図５】
0005995904.tif 000008
【図６】
0005995904.tif 000009
【図７】
0005995904.tif 000010
【図８】
0005995904.tif 000011
【図１０】
0005995904.tif 000012
【図１１】
0005995904.tif 000013
【図１２】
0005995904.tif 000014
【図１３】
0005995904.tif 000015
【図１４】
0005995904.tif 000016
【図１５】
0005995904.tif 000017
【図１６】
0005995904.tif 000018
【図９】
0005995904.tif 000019